(57)【要約】【課題】  ＰＯＳターミナルに装着される記憶装置の誤装着を防止する。【解決手段】  ＰＯＳターミナルに関する第２の情報が記憶されるとともに記憶装置の外周面上に貼り付けられたＲＦＩＤタグに記憶された第２の情報をＲＦＩＤスキャナによって読取り、その第２の情報をＲＦＩＤスキャナの表示部に表示する。また、電源が投入されたときにＨＤＤのマスターブートレコード内の所定領域に第１の情報が記憶されているか否かを判断し、第１の情報が記憶されていると判断されるとその第１の情報を読取り、その読取った第１の情報を表示する。第２の情報が示す内容と第１の情報が示す内容が一致していることを示す指示の入力を受付けると、マスターブートレコード内に記憶された第１の情報を削除することにより、次に電源が投入されたときにオペレーティングシステムが動作できるようにする。【選択図】      図４
2007025895.tif 000002
【特許請求の範囲】
【請求項１】
少なくともオペレーティングシステムに関するデータが記憶されるとともに装着されるＰＯＳターミナルに関する第１の情報がマスターブートレコード内の所定領域に記憶される記憶装置と、
前記記憶装置に記憶される情報に関する第２の情報が記憶されるとともに前記記憶装置の外周面上に貼り付けられたＲＦＩＤタグと、
電源が投入されたときに、前記記憶装置のマスターブートレコード内の所定領域に前記第１の情報が記憶されているか否かを判断する判断手段と、
前記判断手段により前記マスターブートレコード内の所定領域に前記第１の情報が記憶されていないと判断すると前記オペレーティングシステムを起動する起動手段と、
前記判断手段により前記マスターブートレコード内の所定領域に前記第１の情報が記憶されていると判断すると前記第１の情報を読取る読取手段と、
この読取手段により読取られた前記第１の情報を表示する表示手段と、
この表示手段により表示された前記第１の情報が示す内容と、前記ＲＦＩＤタグに記憶された前記第２の情報がＲＦＩＤスキャナによって読取られそのＲＦＩＤスキャナに表示された前記第２の情報が示す内容とが一致していることを示す指示の入力を受付ける受付手段と、
この受付手段により前記指示を受付けると、前記記憶装置のマスターブートレコード内の所定領域に記憶された前記第１の情報を削除する削除手段とを具備することを特徴とするＰＯＳターミナル。
【請求項２】
電源が投入されたときに、少なくともオペレーティングシステムに関するデータが記憶されるとともに装着されるＰＯＳターミナルに関する第１の情報がマスターブートレコード内の所定領域に記憶される記憶装置に前記第１の情報が記憶されているか否かを判断するステップと、
この前記第１の情報が記憶されているか否かを判断するステップにより前記第１の情報が前記マスターブートレコード内の所定領域に記憶されていないと判断すると、前記オペレーティングシステムを起動するステップと、
前記第１の情報が記憶されているか否かを判断するステップにより前記第１の情報が前記マスターブートレコード内の所定領域に記憶されていると判断すると、前記マスターブートレコード内に記憶された前記第１の情報を読取るステップと、
このステップにより読取った前記第１の情報を表示するステップと、
この第１の情報を表示するステップにより表示された内容と、前記記憶装置に記憶される情報に関する第２の情報が記憶されるとともに前記記憶装置の外周面上に貼り付けられたＲＦＩＤタグからＲＦＩＤスキャナによって読取られそのＲＦＩＤスキャナに表示された前記第２の情報が示す内容とが一致していることを示す指示の入力を受付けると、前記記憶装置のマスターブートレコード内に記憶された前記第１の情報を削除するステップとを具備することを特徴とするＰＯＳターミナルの記憶装置装着方法。
【発明の詳細な説明】
【技術分野】
【０００１】
本発明は、記憶装置を有するＰＯＳターミナル及びそのＰＯＳターミナルの記憶装置装着方法に関する。
【背景技術】
【０００２】
オペレーティングシステムがインストールされているハードディスク駆動装置（以下、ＨＤＤと称する。）をＰＯＳターミナルに装着する作業において、作業者は先ず、マスタとなるオリジナルのＨＤＤから記憶内容をコピーした後、適用するＰＯＳターミナルのＰＯＳターミナル名、ユーザ名、システム名、バージョン番号等の様々な情報が記載されたラベルをＨＤＤ上に貼り付ける。ラベルをＨＤＤ上に貼り付けるときには、作業者はＰＯＳターミナルとＨＤＤ上のラベルを黙視で確認し、誤りが無いことを確認してからＨＤＤをＰＯＳターミナルに装着する。
【０００３】
なお、コンピュータの盗難及び不正アクセス等を防止するためにコンピュータ本体に取り外し可能に装着されたセキュリティ機能の一部を担うＲＦＩＤタグが取り外された場合に、コンピュータへのアクセスを禁止する技術が知られている（例えば、特許文献１参照）。
【特許文献１】特開２００１−４３１４２
【発明の開示】
【発明が解決しようとする課題】
【０００４】
しかしながら、近年小型化が進行するＨＤＤにおいて、様々な情報が記載されたラベルをＨＤＤ上に貼り付けることが困難になり、同一のＰＯＳターミナル、同一のユーザに対して複数のＨＤＤが存在する場合は誤ったＨＤＤをＰＯＳターミナルに装着してしまう場合がある。
【０００５】
また、ＰＯＳターミナルのオペレーションシステムを起動すると、認証キーの入力等、ユーザが行うべき作業も存在するため、ＨＤＤ取り付け現場においてＨＤＤが装着された状態でＰＯＳターミナルを起動できない場合がある。この場合、ＰＯＳターミナルへのＨＤＤの取り付け不具合が存在した場合は、不具合が判明しないままユーザに納入されてしまう。
【０００６】
本発明は上記事情に鑑みてなされたものであって、その目的は、記憶装置の誤装着を防止したＰＯＳターミナル及び記憶装置の誤装着を防止するＰＯＳターミナルの記憶装置装着方法を提供することにある。
【課題を解決するための手段】
【０００７】
本発明は、電源が投入されたときに、少なくともオペレーティングシステムに関するデータが記憶されるとともにＰＯＳターミナルに関する第１の情報がマスターブートレコード内に記憶される記憶装置に第１の情報が記憶されているか否かを判断し、第１の情報がマスターブートレコード内の所定領域に記憶されていないと判断するとオペレーティングシステムを起動し、第１の情報がマスターブートレコード内に記憶されていると判断するとマスターブートレコード内に記憶された第１の情報を読取りその読取った第１の情報を表示し、この表示された第１の情報が示す内容と、記憶装置に記憶される情報に関する第２の情報が記憶されるとともにその記憶装置の外周面上に貼り付けられたＲＦＩＤタグに記憶された第２の情報がＲＦＩＤスキャナによって読取られそのＲＦＩＤスキャナにより表示された第２の情報が示す内容とが一致していることを示す指示の入力を受付けると、記憶装置のマスターブートレコード内に記憶された第１の情報を削除するＰＯＳターミナルである。
【発明の効果】
【０００８】
本発明によると、記憶装置の誤装着を防止したＰＯＳターミナル及び記憶装置の誤装着を防止するＰＯＳターミナルの記憶装置装着方法を提供できる。
【発明を実施するための最良の形態】
【０００９】
以下、本発明の一実施の形態について図面を参照して説明する。
【００１０】
図１は本発明が適用されるＰＯＳターミナル１の要部構成を示すブロック図である。ＰＯＳターミナル１は、制御部本体を構成するＣＰＵ１１に、後述する記憶装置確認プログラム等のプログラムを格納したＲＯＭ１２、各種データを記憶するＲＡＭ１３、現在の日時を計時する時計部１４、Ｉ／Ｏポート１５、ネットワークコントローラ１６、キーボードコントローラ１７、タッチパネルコントローラ１８、ディスプレイコントローラ１９、プリンタコントローラ２０、スキャナインタフェース（Ｉ／Ｆ）２１及びＨＤＤコントローラ２２等をバス接続してなる制御回路を装着している。
【００１１】
そして、Ｉ／Ｏポート１５にモードスイッチ２３とドロワ開放装置２４とを接続し、ネットワークコントローラ１６に図示しないネットワークを接続し、キーボードコントローラ１７にキーボード２５を接続し、タッチパネルコントローラ１８にタッチパネル付ディスプレイのタッチパネルセンサ２６とディスプレイ２７とを接続し、ディスプレイコントローラ１９に客用のディスプレイ２８を接続し、プリンタコントローラ２０にプリンタ２９を接続し、スキャナインタフェース２１にスキャナ３０を接続し、ＨＤＤコントローラ２２に記憶装置であるＨＤＤ３１を接続している。
【００１２】
さらにＨＤＤ３１の外周面上には、ＨＤＤ３１に記憶される情報、すなわち、ＨＤＤ３１が装着されるべきＰＯＳターミナル１に関する第２の情報を記憶するＲＦＩＤ（ラジオ・フリークエンシー・アイデンティフィケーション）タグ３１ａが貼り付けられている。また、ＰＯＳターミナル１には、ＰＯＳターミナル１に関する情報を記憶するＲＦＩＤタグ１ａが貼り付けられている。ＲＦＩＤタグ１ａはＰＯＳターミナル１の任意の位置に貼り付けられている。
【００１３】
モードスイッチ２３は、登録モード、点検モード、精算モード等の各種業務モードを選択するためのものである。ネットワークコントローラ１６は、図示しないネットワークを通じて行なうデータ通信を制御する。キーボードコントローラ１７は、キーボード２５から操作された各キーに対応するキー信号を取り込みＣＰＵ１１に知らせる。タッチパネルコントローラ１８は、ＣＰＵ１１からの指令によりディスプレイ２７に各種の画面を選択的に表示させるとともに、タッチパネルセンサ２６の信号を取り込みタッチ位置座標を求めてＣＰＵ１１に知らせる。ディスプレイコントローラ１９は、表示データに対応した文字等をディスプレイ２８に表示させる。プリンタコントローラ２０は、プリンタ２９によるレシート印字及びジャーナル印字を制御する。スキャナインタフェース（Ｉ／Ｆ）２１は、スキャナ３０にてスキャニングされたバーコードデータを入力する。
【００１４】
ＨＤＤコントローラ２２は、ＨＤＤ３１へのデータの書込及び削除又はＨＤＤ３１からのデータの読出しを制御する。ＨＤＤ３１のデータの記憶領域は、予め定められた領域に設定されるマスターブートレコードの領域とその他のデータを記憶する領域とに分けられる。マスターブートレコードに記憶されるデータは、ＨＤＤ３１が装着されたＰＯＳターミナル１が起動する際にＢＩＯＳによって最初に読取られるデータである。このマスターブートレコード内の所定領域（例えば、６３セクタ中の後方部）には、ＰＯＳターミナル１に関する第１の情報が記憶される。図２はＨＤＤ３１に記憶されるデータを説明するための図である。図２に示すように、マスターブートレコード内の所定領域には第１の情報として、ＰＯＳターミナル名、システム名、バージョン番号、ＨＤＤ型番、納入ユーザ名、アプリケーション名、ＨＤＤ容量、ボリューム名を示す情報が記憶されている。また、マスターブートレコードの領域外の記憶領域には、ＰＯＳターミナル１を動作させるためのオペレーティングシステム、アプリケーションが記憶されている。
【００１５】
ＲＦＩＤタグ３１ａには、貼り付けられるＨＤＤ３１のマスターブートレコード内の所定の記憶領域に記憶される内容と同内容の情報が第２の情報として記憶される。図３は、ＲＦＩＤタグ３１ａの記憶部３１ｂに記憶される第２の情報を説明するための図である。この記憶部３１ｂには、第２の情報として、ＰＯＳターミナル名、システム名、バージョン番号、ＨＤＤ型番、納入ユーザ名、アプリケーション名、ＨＤＤ容量、ボリューム名を示す情報が記憶されている。なお、ＲＦＩＤタグ３１ａは、オリジナルのＨＤＤからオペレーティングシステム、アプリケーション等のデータを記憶させるとともにＨＤＤ３１のマスターブートレコード内の所定の記憶領域に第２の情報を記憶させた後、ＨＤＤ３１の外周面上に貼り付けられる。また、ＲＦＩＤタグ３１ａが貼り付けられたＨＤＤ３１は、外観からはどのような内容が記憶されているかを視認することはできない。しかしながらＲＦＩＤタグ３１ａは小型のＨＤＤと比較しても小さいため、小型のＨＤＤにも貼り付けることが可能である。
【００１６】
ＲＦＩＤタグ１ａの記憶部（図示しない。）には、ＰＯＳターミナルが納入されるユーザの要求する仕様に応じた情報が記憶される。すなわち、納入するＰＯＳターミナルのＰＯＳターミナル名、システム名、バージョン番号、ＨＤＤ型番、納入ユーザ名、アプリケーション名、ＨＤＤ容量、ボリューム名を示す情報が記憶されている。
【００１７】
次に、ＣＰＵ１１がＲＯＭ１２に記憶される記憶装置確認プログラムを実行したときの処理について説明する。図４は、記憶装置確認プログラムの処理を示すフローチャートである。
【００１８】
先ず、ＣＰＵ１１は、図示しない電源スイッチがＯＮされたかを判断する（ＳＴ１０１）。電源スイッチがＯＮでないと判断すると待機状態を続け（ＳＴ１０１でＮＯ）、電源スイッチがＯＮであると判断すると（ＳＴ１０１でＹＥＳ）、ＣＰＵ１１はマスターブートレコードの読取りを行う（ＳＴ１０２）。そして、ＣＰＵ１１は、マスターブートレコード内の所定領域に第１の情報が存在するか否かを判断する（ＳＴ１０３，判断手段）。具体的には、マスターブートレコードの所定領域がＮＵＬＬ（領域の全てがゼロデータとなっている状態）か否かが判断される。すなわち、当該所定領域がＮＵＬＬとなっていると第１の情報は記憶されていないと判断され、当該の所定領域がＮＵＬＬとなっていないと第１の情報は記憶されていると判断される。
【００１９】
第１の情報が存在していると判断すると、ＣＰＵ１１はその第１の情報を読取り（ＳＴ１０４，読取手段）、読取った第１の情報をディスプレイ２７に表示する（ＳＴ１０５，表示手段）。具体的には、マスターブートレコード内の所定領域から第１の情報が読取られ、その読取られた第１の情報であるＰＯＳターミナル名、システム名、バージョン番号、ＨＤＤ型番、納入ユーザ名、アプリケーション名、ＨＤＤ容量、ボリューム名がディスプレイ２７に表示される。
【００２０】
このようにディスプレイ２７に第１の情報が表示されると、ＣＰＵ１１はその表示された全ての情報がＲＦＩＤタグ３１ａに記憶された第２の情報と同じであることを示すキーの入力を受付けたか否かを判断する（ＳＴ１０６，受付手段）。すなわち、ディスプレイ２７に表示された第１の情報が示す内容、具体的にはＰＯＳターミナル名、システム名、バージョン番号、ＨＤＤ型番、納入ユーザ名、アプリケーション名、ＨＤＤ容量、ボリューム名と、ＲＦＩＤタグ３１ａからＲＦＩＤスキャナによって読取られ、ＲＦＩＤスキャナの表示部４０（図５において図示する。）に表示された第２の情報が示す内容、具体的には、ＰＯＳターミナル名、システム名、バージョン番号、ＨＤＤ型番、納入ユーザ名、アプリケーション名、ＨＤＤ容量、ボリューム名とが一致することを示すキーがユーザにより入力されたか否かが判断される。具体的には、ユーザはディスプレイ２７に表示された第１の情報が示す内容とＲＦＩＤスキャナの表示部４０に表示された第２の情報が示す内容とが一致している場合にはディスプレイ２７に表示されたＥｎｔｅｒキー２７ａを入力し、一致していない場合にはＣａｎｃｅｌキー２７ｂを入力する（これらは図６において図示する）。したがって、ＣＰＵ１１は、ステップＳＴ１０６において、Ｅｎｔｅｒキー２７ａの入力を受付ければＹＥＳと判断し、Ｃａｎｃｅｌキー２７ｂの入力を受付ければＮＯと判断する。
【００２１】
全ての情報が同じであることを示すキーの入力を受付けたと判断すると（ＳＴ１０６でＹＥＳ）、ＣＰＵ１１は、マスターブートレコード内の所定領域に記憶されている第１の情報を削除する処理を行う（ＳＴ１０７，削除手段）。全ての情報が同じであることを示すキーの入力を受付けないと判断すると（ＳＴ１０６でＮＯ）、第１の情報を削除するステップＳＴ１０７の処理をパスする。
【００２２】
続いて、ＣＰＵ１１は電源スイッチのＯＦＦを検出したか否かを判断し（ＳＴ１０８）、電源スイッチのＯＦＦを検出すると（ＳＴ１０８でＹＥＳ）、この処理を終了する。
【００２３】
一方、ステップＳＴ１０３でマスターブートレコード内の所定領域に第１の情報が存在していないと判断すると（ＳＴ１０３でＮＯ）、ＨＤＤ３１に記憶されているオペレーティングシステムを起動する（ＳＴ１０９，起動手段）。このようにオペレーティングシステムが起動するとＰＯＳターミナル１としての動作が実現される。そして、電源スイッチのＯＦＦを検出すると（ステップＳＴ１０８でＹＥＳ）、処理を終了する。
【００２４】
次に、ＨＤＤ３１をＰＯＳターミナル１に装着するときの作用について説明する。
【００２５】
作業者は、ＲＦＩＤタグが貼り付けられた複数のＨＤＤからＰＯＳターミナル１に装着するためのＨＤＤ３１を選択する。例えば、予めユーザ別、ＰＯＳターミナルの機種別等でＨＤＤ３１を区別しておき、作業者はこのように区別されたＨＤＤからＰＯＳターミナル１に装着するＨＤＤ３１を選択する。なお、同一のユーザ、同一機種のＰＯＳターミナルであっても、記憶される情報が異なるＨＤＤが用意されている場合もある。
【００２６】
このようにＨＤＤ３１を選択した後、作業者はＲＦＩＤスキャナ（図示しない。）を用いてＰＯＳターミナル１に貼り付けられているＲＦＩＤタグ１ａから情報を読取る。ＲＦＩＤスキャナには、表示部４０が設けられている。この表示部４０には、ＲＦＩＤタグ１ａから読取った情報に基づく表示がなされる。図５は読取った情報の表示部４０への表示例を示す図である。図５に示すように、表示部４０にはＰＯＳターミナル名、納入ユーザ名、システム名、アプリケーション名、バージョン番号が表示されている。作業者はこの表示部４０の表示によりＰＯＳターミナル１のＲＦＩＤタグ１ａに記憶されている情報の内容を確認する。
【００２７】
続いて、作業者は、ＨＤＤ３１に貼り付けられたＲＦＩＤタグ３１ａから第２の情報を読取る。このときにＲＦＩＤスキャナの表示部４０には、上述の場合と同様に、ＰＯＳターミナル名、納入ユーザ名、システム名、アプリケーション名、バージョン番号が表示される。作業者はこの表示部４０の表示によりＨＤＤ３１に貼り付けられたＲＦＩＤタグ３１ａに記憶されている第２の情報の内容を確認する。
【００２８】
作業者は、ＲＦＩＤタグ１ａから読取った情報が示す内容とＲＦＩＤタグ３１ａから読取った第２の情報が示す内容とを比較する。表示部４０に表示される内容が同一である場合は、作業者はＨＤＤ３１がＰＯＳターミナル１に装着されるべきＨＤＤであることを確認できる。そして、ＨＤＤ３１がＰＯＳターミナル１に装着される。
【００２９】
なお、ＲＦＩＤスキャナの表示部４０に表示された内容を比較した結果、内容が同一でないときには、作業者が選択したＨＤＤ３１がＰＯＳターミナル１に装着されるべきものではいものであるため、他のＨＤＤを再度選択する。このようにして作業者はＲＦＩＤスキャナの表示部４０に表示された内容とＲＦＩＤタグ３１ａから読取った第２の情報が示す内容とが合致するＨＤＤを探し、その探したＨＤＤをＰＯＳターミナル１に装着する。
【００３０】
そして、ＨＤＤ３１をＰＯＳターミナル１に装着した後、作業者はＰＯＳターミナル１の電源スイッチをＯＮする。電源スイッチがＯＮされると、ＨＤＤ３１のマスターブートレコード内の所定領域に第１の情報が記憶されているため、その第１の情報がディスプレイ２７に表示される。図６は、第１の情報が表示されたディスプレイ２７の表示例を示す図である。ディスプレイ２７には、第１の情報が示すＰＯＳターミナル名、納入ユーザ名、システム名、アプリケーション名、バージョン番号が表示されるとともに、ディスプレイ２７にＥｎｔｅｒキー２７ａとＣａｎｃｅｌキー２７ｂが表示される。
【００３１】
作業者は、ディスプレイ２７に表示された第１の情報が示す内容と、ＨＤＤ３１に貼り付けられたＲＦＩＤタグ３１ａから読取った第２の情報が示すＲＦＩＤスキャナの表示部４０に表示された内容とを比較する。なお、ＲＦＩＤタグ３１ａから読取った第２の情報が示す内容とＰＯＳターミナル１に貼り付けられたＲＦＩＤタグ１ａから読取った情報が示す内容とは一致しているため、ＲＦＩＤタグ１ａから読取った情報が示す内容と比較することも可能である。
【００３２】
表示された内容が一致していることを確認した場合には、作業者はＥｎｔｅｒキー２７ａを入力する。Ｅｎｔｅｒキー２７ａが入力されると、ＨＤＤ３１のマスターブートレコード内の所定領域に記憶された第１の情報が削除される。そして、作業者はＰＯＳターミナル１の電源スイッチをＯＦＦする。このように第１の情報が削除されるため次にＰＯＳターミナル１に電源が投入されるときには、ＨＤＤ３１のマスターブートレコード内の所定領域に第１の情報が記憶されていないと判断され、オペレーティングシステムが起動する。このようにして、作業者はＰＯＳターミナル１に正しいＨＤＤ３１が装着され、起動が正常にできることをユーザに納付する前に確実に確認することができる。
【００３３】
なお、表示された内容が一致していることが確認できない場合、すなわち、誤ったＨＤＤがＰＯＳターミナル１に装着されている場合は作業者はＣａｎｃｅｌキー２７ｂを入力する。そして、ＰＯＳターミナル１の電源スイッチをＯＦＦした後、そのＨＤＤを取り外し、ＰＯＳターミナル１に装着されるべきＨＤＤを再度選択し、そのＨＤＤに貼り付けられたＲＦＩＤタグに記憶された第２の情報が示す内容と、ＰＯＳターミナル１に貼り付けられたＲＦＩＤタグ１ａに記憶された情報が示す内容との比較を行い、内容が同一である場合にはＰＯＳターミナル１にそのＨＤＤを装着し、電源スイッチをＯＮしてマスターブートレコード内の所定領域に記憶された第１の情報との比較を行う上述した作業を繰り返す。
【００３４】
このような作業を行うことにより、ＨＤＤ３１のマスターブートレコード内の所定領域に記憶されている第１の情報と異なる内容が第２の情報として記憶されているＲＦＩＤタグ３１ａが誤ってＨＤＤ３１に貼り付けられた場合にも、ＰＯＳターミナル１に装着されるべきでないＨＤＤが誤って装着されてしまうことを防止することができる。
【００３５】
また、作業者は、装着されるべきＨＤＤであることを確認するＥｎｔｅｒキー２７ａを入力した場合に、そのＨＤＤのマスターブートレコード内の所定領域に記憶されている第１の情報が削除されて次に電源ＯＮとなったときにＰＯＳターミナルのオペレーションシステムが起動できるようになる。このため、ユーザの認証キーの入力等ユーザが行うべき作業を必要とせずにＰＯＳターミナル１に装着したＨＤＤの確認を行うことができるので、ＨＤＤの誤装着という不具合が判明しないままＰＯＳターミナル１がユーザに納入されてしまうことを防止できる。
【００３６】
なお、本発明は、上述した実施の形態そのままに限定されるものではなく、実施段階ではその要旨を逸脱しない範囲で構成要素を変形して具体化できるものである。
【図面の簡単な説明】
【００３７】
【図１】本発明の実施の形態におけるＰＯＳターミナルの要部構成を示すブロック図。
【図２】同実施の形態における記憶装置に記憶されるデータを説明するための図。
【図３】同実施の形態におけるＲＦＩＤタグに記憶されるデータを説明するための図。
【図４】同実施の形態における記憶装置確認処理を示すフローチャート。
【図５】同実施の形態におけるＲＦＩＤスキャナの表示部の表示例を示す図。
【図６】同実施の形態におけるＰＯＳターミナルの表示部の表示例を示す図。
【符号の説明】
【００３８】
１…ＰＯＳターミナル，１ａ，３１ａ…ＲＦＩＤタグ、１１…ＣＰＵ，１２…ＲＯＭ，１３…ＲＡＭ，２７…ディスプレイ，２７ａ…Ｅｎｔｅｒキー、２７ｂ…Ｃａｎｃｅｌキー，３１…ＨＤＤ，３１ｂ…ＲＦＩＤタグの記憶部、４０…ＲＦＩＤスキャナの表示部
【図１】
2007025895.tif 000003
【図２】
2007025895.tif 000004
【図３】
2007025895.tif 000005
【図４】
2007025895.tif 000006
【図５】
2007025895.tif 000007
【図６】
2007025895.tif 000008